(57)【要約】  【課題】天井扇風機本体13および照明器具14の制御を遠隔操作によって行う際の使用者の操作性を向上できる照明器具付天井扇風機11を提供する。  【解決手段】天井扇風機本体13の下部に、天井扇風機本体13を介して電源供給を受けて点灯する照明器具14を設ける。送信部15は、天井扇風機本体13を介して照明器具14に電源供給させる照明入信号および電源供給を停止させる照明切信号を出力する。送信部15からの照明入信号を天井扇風機本体受信制御部29で受信して天井扇風機本体13から照明器具14に電源供給し、照明器具14を点灯させる。照明器具14の点灯時に、送信部15から照明入信号を再送信すれば、照明器具受信制御部50で照明入信号を受信して照明器具14の点灯状態を切り換える。天井扇風機本体13および照明器具14の制御を遠隔操作によって行う際の使用者の操作性を向上できる。  【選択図】図１
2005235588.tif 000002
【特許請求の範囲】
【請求項１】
天井扇風機本体と；
天井扇風機本体を介して電源供給を受けて点灯する照明器具と；
天井扇風機本体を介して照明器具に電源供給させる照明入信号および電源供給を停止させる照明切信号を含み、天井扇風機本体を制御する信号を出力する送信部と；
送信部からの信号を受信して天井扇風機本体を制御する天井扇風機本体受信制御部と；
照明器具に対する電源供給状態のときに、送信部からの照明入信号の受信に応じて照明器具の点灯状態を少なくとも３種類以上切り換える照明器具受信制御部と；
を具備していることを特徴とする照明器具付天井扇風機。
【請求項２】
天井扇風機本体受信制御部は、照明器具に対する電源供給停止状態での送信部からの照明入信号の受信時、および照明器具に対する電源供給状態での送信部からの照明切信号の受信時に受信音を発生し、照明器具に対する電源供給状態での送信部からの照明入信号の受信時には受信音を発生せず、
照明器具受信制御部は、照明器具に対する電源供給状態での送信部からの照明入信号の受信時に受信音を発生することを特徴とする請求項１記載の照明器具付天井扇風機。
【請求項３】
天井扇風機本体の下部に照明器具が設けられ、天井扇風機本体受信制御部が照明器具側に設けられていることを特徴とする請求項１または２記載の照明器具付天井扇風機。
【請求項４】
天井扇風機本体と；
天井扇風機本体の下部に設けられた照明器具と；
天井扇風機本体および照明器具を遠隔操作する信号を出力する送信部と；
照明器具側に設けられ、送信部からの信号を受信する受信部を有し、受信部での受信に応じて天井扇風機本体の制御および照明器具の点灯状態の切換制御をする受信制御部と；
を具備していることを特徴とする照明器具付天井扇風機。
【発明の詳細な説明】
【技術分野】
【０００１】
本発明は、天井扇風機本体を介した電源供給によって照明器具を点灯させる照明器具付天井扇風機に関する。
【背景技術】
【０００２】
従来、照明器具付天井扇風機では、照明器具を備えた天井扇風機本体が天井に設置され、送信部からのリモートコントロール信号による遠隔操作により、天井扇風機本体のファンモータの運転や照明器具の点滅を制御している（例えば、特許文献１参照。）。
【０００３】
また、天井に設置した天井扇風機本体の下部に照明器具を後付で取り付けられるようにした照明器具付天井扇風機があり、このような照明器具付天井扇風機では、天井扇風機本体を介して照明器具に電源供給し、その照明器具に対する電源供給の入切によって照明器具の点灯と消灯とを切り換えている。送信部には、天井扇風機本体の動作を指令する操作ボタンが備えられているほか、照明器具を点灯させる照明入ボタンおよび消灯させる照明切ボタンを備えている。
【特許文献１】特開平９−４５９６号公報（第２−３頁、図１−２）
【発明の開示】
【発明が解決しようとする課題】
【０００４】
従来の照明器具付天井扇風機では、送信部による遠隔操作により、照明器具に対する電源供給の入切によって照明器具の点灯と消灯とを切り換えることはできるが、例えば、照明器具として常夜灯を備えた２灯式の照明器具を用いて、２灯を点灯させる全光点灯、１灯を点灯させる調光点灯、常夜灯を点灯させる常夜灯点灯などの点灯状態を切り換えることはできない。
【０００５】
点灯状態が切換可能な照明器具を用いる場合には、照明器具の点灯状態切換用送信部を別に用いる必要があり、送信部の数が増加するばかりか、点灯状態切換用送信部のみでは照明器具の電源の入切ができず、使用者にとって煩わしい問題がある。
【０００６】
また、従来の照明器具付天井扇風機では、天井扇風機本体側に受信部があることにより、天井扇風機本体下部の照明器具および羽根などで受信部が下方からでは隠れてしまうので、送信部による遠隔操作の際に制御信号を受け難く、天井扇風機本体の制御および照明器具の点灯、消灯が適切に行われないことがあり、使用者にとって煩わしい問題がある。
【０００７】
本発明は、このような点に鑑みなされたもので、天井扇風機本体および照明器具の制御を遠隔操作によって行う際の使用者の操作性を向上することができる照明器具付天井扇風機を提供することを目的とする。
【課題を解決するための手段】
【０００８】
請求項１記載の照明器具付天井扇風機は、天井扇風機本体と；天井扇風機本体を介して電源供給を受けて点灯する照明器具と；天井扇風機本体を介して照明器具に電源供給させる照明入信号および電源供給を停止させる照明切信号を含み、天井扇風機本体を制御する信号を出力する送信部と；送信部からの信号を受信して天井扇風機本体を制御する天井扇風機本体受信制御部と；照明器具に対する電源供給状態のときに、送信部からの照明入信号の受信に応じて照明器具の点灯状態を少なくとも３種類以上切り換える照明器具受信制御部と；を具備しているものである。
【０００９】
そして、この構成では、送信部からの照明入信号を天井扇風機本体受信制御部で受信して天井扇風機本体を介して照明器具に電源供給しているときに、送信部から照明入信号を送信すれば、照明器具受信制御部で照明入信号を受信して照明器具の点灯状態を少なくとも３種類以上切り換えるため、天井扇風機本体および照明器具の制御を遠隔操作によって行う際の使用者の操作性が向上する。
【００１０】
なお、点灯状態の切り換えとは、全光、段調光、連続調光、複数光源のうちいずれかを消灯する形態、補助灯点灯、消灯などを適宜組み合わせて行われるものであって、照明入信号の受信に応じて照明器具の点灯状態が３形態以上変化するものであればよい。
【００１１】
請求項２記載の照明器具付天井扇風機は、請求項１記載の照明器具付天井扇風機において、天井扇風機本体受信制御部は、照明器具に対する電源供給停止状態での送信部からの照明入信号の受信時、および照明器具に対する電源供給状態での送信部からの照明切信号の受信時に受信音を発生し、照明器具に対する電源供給状態での送信部からの照明入信号の受信時には受信音を発生せず、照明器具受信制御部は、照明器具に対する電源供給状態での送信部からの照明入信号の受信時に受信音を発生するものである。
【００１２】
そして、この構成では、照明器具に対する電源供給停止状態での送信部からの照明入信号の受信時、および照明器具に対する電源供給状態での送信部からの照明切信号の受信時には、天井扇風機本体受信制御部が受信音をそれぞれ発生するが、照明器具に対する電源供給状態での送信部からの照明入信号の受信時には、天井扇風機本体受信制御部は受信音を発生せず、照明器具受信制御部のみが受信音を発生するため、共通の送信部を用いても、照明器具の点灯状態の切換時に二重の受信音を発生させず、二重の受信音を使用者が煩わしく感じるのが防止される。
【００１３】
請求項３記載の照明器具付天井扇風機は、請求項１または２記載の照明器具付天井扇風機において、天井扇風機本体の下部に照明器具が設けられ、天井扇風機本体受信制御部が照明器具側に設けられているものである。
【００１４】
そして、この構成では、天井扇風機本体の下部の照明器具側に天井扇風機本体受信制御部を設けたため、天井扇風機本体受信制御部の受信感度の向上が可能になる。
【００１５】
請求項４記載の照明器具付天井扇風機は、天井扇風機本体と；天井扇風機本体の下部に設けられた照明器具と；天井扇風機本体および照明器具を遠隔操作する信号を出力する送信部と；照明器具側に設けられ、送信部からの信号を受信する受信部を有し、受信部での受信に応じて天井扇風機本体の制御および照明器具の点灯状態の切換制御をする受信制御部と；を具備しているものである。
【００１６】
そして、この構成では、天井扇風機本体の下部の器具本体側に送信部からの遠隔操作の信号を受信部で受信する受信制御部を設け、この受信制御部で天井扇風機本体の制御および照明器具の点灯状態の切換制御をするため、制御構成が簡素化されるとともに、遠隔操作による天井扇風機本体の制御および照明器具の点灯状態の切換制御が行い易く、使用者の操作性が向上する。
【発明の効果】
【００１７】
請求項１記載の照明器具付天井扇風機によれば、送信部からの照明入信号を天井扇風機本体受信制御部で受信して天井扇風機本体を介して照明器具に電源供給し、照明器具を点灯させているときに、送信部から照明入信号を送信すれば、照明器具受信制御部で照明入信号を受信して照明器具の点灯状態を少なくとも３種類以上切り換えるため、天井扇風機本体および照明器具の制御を遠隔操作によって行う際の使用者の操作性を向上できる。
【００１８】
請求項２記載の照明器具付天井扇風機によれば、請求項１記載の照明器具付天井扇風機の効果に加えて、照明器具に対する電源供給停止状態での送信部からの照明入信号の受信時、および照明器具に対する電源供給状態での送信部からの照明切信号の受信時には、天井扇風機本体受信制御部が受信音をそれぞれ発生するが、照明器具に対する電源供給状態での送信部からの照明入信号の受信時には、天井扇風機本体受信制御部は受信音を発生せず、照明器具受信制御部のみが受信音を発生するため、共通の送信部を用いても、照明器具の点灯状態の切換時に二重の受信音を発生させず、二重の受信音を使用者が煩わしく感じるのを防止できる。
【００１９】
請求項３記載の照明器具付天井扇風機によれば、請求項１または２記載の照明器具付天井扇風機の効果に加えて、天井扇風機本体の下部の照明器具側に天井扇風機本体受信制御部を設けたため、天井扇風機本体受信制御部の受信感度を向上させることができる。
【００２０】
請求項４記載の照明器具付天井扇風機によれば、天井扇風機本体の下部の器具本体側に送信部からの遠隔操作の信号を受信部で受信する受信制御部を設け、この受信制御部で天井扇風機本体の制御および照明器具の点灯状態の切換制御をするため、制御構成を簡素化できるとともに、遠隔操作による天井扇風機本体の制御および照明器具の点灯状態の切換制御を行い易く、使用者の操作性を向上できる。
【発明を実施するための最良の形態】
【００２１】
以下、本発明の一実施の形態を図面を参照して説明する。
【００２２】
図１ないし図４に第１の実施の形態を示し、図１は照明器具付天井扇風機の構成図、図２は照明器具付天井扇風機の断面図、図３は照明器具付天井扇風機の天井扇風機本体と照明器具との分離状態の斜視図、図４は照明器具付天井扇風機の送信部の正面図である。
【００２３】
図１ないし図３に示すように、照明器具付天井扇風機11は、天井12に直付設置されるシーリングファンである天井扇風機本体13、この天井扇風機本体13の下部に取り付けられ天井扇風機本体13から電源供給を受けて点灯する照明器具14、これら天井扇風機本体13および照明器具14を遠隔操作するリモコンである送信部15を有している。
【００２４】
天井扇風機本体13は、天井12に取り付けられた例えば埋込形の引掛シーリング21を利用して設置可能としており、引掛シーリング21に取り付けられる取付板22、この取付板22などを覆って取付板22に取り付けられるカップ状の上部ケース部23、この上部ケース部23の下部に取り付けられたパイプ状の支持部24、この支持部24の下部に取り付けられた円筒状の下部ケース部25、上部ケース部23と下部ケース部25との間で支持部24の周囲に配設されたモータ部26、このモータ部26の回転部26aに取り付けられた複数の羽根27で構成されるファン28を有している。
【００２５】
下部ケース部25内には、送信部15からの信号を受信してモータ部26の入切、回転方向および回転速度を制御するとともに照明器具14に対する電源供給の入切を制御する天井扇風機本体受信制御部29が配設されている。この天井扇風機本体受信制御部29には、送信部15から送信される信号を受信する複数の天井扇風機本体受信部30が下部ケース部25の周面の複数箇所に臨ませて配設されている。天井扇風機本体受信部30は例えば赤外線信号を受光する受光素子を備えている。
【００２６】
天井扇風機本体受信制御部29に接続された配線31が支持部24内を通じて上部ケース部23に引き出され、この配線31の先端の引掛シーリングキャップ32が引掛シーリング21に接続され、引掛シーリング21から天井扇風機本体受信制御部29に電源が供給されている。
【００２７】
天井扇風機本体受信制御部29は、送信部15からの信号の受信時に受信音を発生する天井扇風機本体受信音発生部33を有している。この天井扇風機本体受信音発生部33は、照明器具14に対する電源供給停止状態での送信部15からの照明入信号の受信時、および照明器具14に対する電源供給状態での送信部15からの照明切信号の受信時に受信音を発生し、照明器具14に対する電源供給状態での送信部15からの照明入信号の受信時には受信音を発生しないように構成されている。
【００２８】
また、照明器具14は、ランプとして２灯の環形蛍光ランプ41，42および常夜灯43を用い、２灯の環形蛍光ランプ41，42のみを点灯させる全光点灯、１灯の環形蛍光ランプ42のみを点灯させる調光点灯、常夜灯43のみを点灯させる常夜灯点灯などの点灯状態を切換可能としている。
【００２９】
照明器具14は、天井扇風機本体13の下部ケース部25の下面にねじ止めして取り付けられた円盤状の器具本体45を有し、この器具本体45の下面には２灯の環形蛍光ランプ41，42が対向される反射面46が形成されている。この反射面46には、各環形蛍光ランプ41，42の口金を着脱可能に接続するランプソケット47、および各環形蛍光ランプ41，42の口金に対して反対側の発光管部分を着脱可能に保持するランプホルダ48が取り付けられている。器具本体45の下面の環形蛍光ランプ41，42より内側位置に常夜灯43が着脱可能に接続される常夜灯ソケット49が取り付けられている。
【００３０】
器具本体45内には、天井扇風機本体13から電源供給を受けて２灯の環形蛍光ランプ41，42および常夜灯43の点灯を可能とするとともに、電源供給状態のときに送信部15からの照明入信号の受信に応じて照明器具14の点灯状態つまり全光点灯と調光点灯と常夜灯点灯と消灯とを順送りに切り換える照明器具受信制御部50が配設されている。この照明器具受信制御部50は、天井扇風機本体13から選択的に電源供給を受けるように電気的に接続されており、例えばインバータなどの点灯装置を通じて各環形蛍光ランプ41，42を点灯、消灯制御したり、常夜灯43に対する電源供給の入切によって点灯、消灯制御する。この照明器具受信制御部50には、送信部15から送信される信号を受信する照明器具受信部51が器具本体45の下面の環形蛍光ランプ41，42より内側位置に下方へ臨ませて配設されている。照明器具受信部51は例えば赤外線信号を受光する受光素子を有している。さらに、照明器具受信制御部50は、照明器具に対する電源供給状態で、送信部15からの照明入信号の受信時に受信音を発生する照明器具受信音発生部52を有している。
【００３１】
器具本体45の下部には、器具本体45や環形蛍光ランプ41，42などを覆う透光性を有する例えば乳白色で円板状のセード53が器具本体45の周縁に設けられた複数の取付具54によって着脱可能に取り付けられている。器具本体45とセード53との間の周面は開放されている。
【００３２】
また、図４に示すように、送信部15は、ファン28を回転させたり回転速度を弱、中、強で順送り切換させるファンボタン61、ファン28の回転を停止させる停止ボタン62、下方へ向けて空気を循環させるようにファン28を回転させる夏モードボタン63、上方へ向けて空気を循環させるようにファン28を回転させる冬モードボタン64、照明器具14を点灯させる照明入ボタン65、照明器具14を消灯させる照明切ボタン66が設けられ、各ボタン操作によって対応する信号を送信する。送信部15は例えば赤外線信号を発光する発光素子を備えている。
【００３３】
そして、送信部15でファン28の運転に関するファンボタン61、停止ボタン62、夏モードボタン63、冬モードボタン64を操作することによって対応する信号を送信し、これら信号を天井扇風機本体受信制御部29で受信し、天井扇風機本体受信制御部29でファン28の回転を制御する。天井扇風機本体受信制御部29で送信部15からの信号を受信する毎に天井扇風機本体受信音発生部33で受信音を発生する。
【００３４】
ファン28の回転状態において、送信部15の停止ボタン62の操作で送信するファン停止信号を天井扇風機本体受信制御部29で受信することにより、天井扇風機本体受信制御部29ではモータ部26に対して逆回転電流を与えて制動を加え、慣性で回り続けやすいファン28の回転を迅速に停止させるため、ファン28の回転停止の確認を容易にできる。このとき、ファン28の回転速度に応じてモータ部26に与える逆回転電流を可変することにより、いずれの回転速度にあるファン28でも迅速に停止させることができる。
【００３５】
また、天井扇風機本体13から照明器具14への電源供給停止状態つまり照明器具14の消灯状態において、送信部15の照明入ボタン65を操作することによって照明入信号を送信し、この照明入信号を天井扇風機本体受信制御部29が受信して照明器具14に対する電源供給を入に切り換える。このとき、天井扇風機本体受信制御部29の天井扇風機本体受信音発生部33が受信音を発生するとともに、電源供給を受けた照明器具受信制御部50の照明器具受信音発生部52が受信音を発生する。電源供給を受けた照明器具受信制御部50により、２灯の環形蛍光ランプ41，42を点灯させ、つまり照明器具14を全灯点灯させる。
【００３６】
この照明器具14の全灯点灯状態において、送信部15の照明入ボタン65を再操作して照明入信号を再送信することで、この照明入信号を天井扇風機本体受信制御部29および照明器具受信制御部50の両方で受信する。天井扇風機本体受信制御部29は照明器具14に対する電源供給状態を維持し、照明器具受信制御部50は点灯状態を全灯点灯から一方の環形蛍光ランプ41を消灯させて他方の環形蛍光ランプ42のみを点灯させる調光点灯に切り換える。このとき、天井扇風機本体受信制御部29の天井扇風機本体受信音発生部33は受信音を発生せず、照明器具受信制御部50の照明器具受信音発生部52のみが受信音を発生する。
【００３７】
照明器具14の調光点灯状態において、送信部15の照明入ボタン65を再操作して照明入信号を再送信することで、この照明入信号を天井扇風機本体受信制御部29および照明器具受信制御部50の両方で受信する。天井扇風機本体受信制御部29は照明器具14に対する電源供給状態を維持し、照明器具受信制御部50は点灯状態を調光点灯から他方の環形蛍光ランプ42を消灯させて常夜灯43のみを点灯させる常夜灯点灯に切り換える。このとき、天井扇風機本体受信制御部29の天井扇風機本体受信音発生部33は受信音を発生せず、照明器具受信制御部50の照明器具受信音発生部52のみが受信音を発生する。
【００３８】
照明器具14の常夜灯点灯状態において、送信部15の照明入ボタン65を再操作して照明入信号を再送信することで、この照明入信号を天井扇風機本体受信制御部29および照明器具受信制御部50の両方で受信する。天井扇風機本体受信制御部29は照明器具14に対する電源供給状態を維持し、照明器具受信制御部50は点灯状態を常夜灯点灯から常夜灯を消灯させた全消灯に切り換える。このとき、天井扇風機本体受信制御部29の天井扇風機本体受信音発生部33は受信音を発生せず、照明器具受信制御部50の照明器具受信音発生部52のみが受信音を発生する。
【００３９】
このように、送信部15からの照明入信号を天井扇風機本体受信制御部29で受信して天井扇風機本体13から照明器具14に電源供給し、照明器具14を点灯させているときに、送信部15から照明入信号を再送信すれば、照明器具受信制御部50で照明入信号を受信して照明器具14の点灯状態を順送りに切り換えるため、天井扇風機本体13および照明器具14の制御を遠隔操作によって行う際の使用者の操作性を向上でき、しかも、送信部15の照明入ボタン65および照明切ボタン66のみで照明器具14の点灯状態を切り換えることができるので、送信部15が大形化することがない。
【００４０】
しかも、照明器具14に対する電源供給停止状態での送信部15からの照明入信号の受信時、および照明器具14に対する電源供給状態での送信部15からの照明切信号の受信時には、天井扇風機本体受信制御部29が受信音をそれぞれ発生するが、照明器具14に対する電源供給状態での送信部15からの照明入信号の受信時には、天井扇風機本体受信制御部29は受信音を発生せず、照明器具受信制御部50のみが受信音を発生するため、共通の送信部15を用いても、照明器具14の点灯状態の切換時に二重の受信音を発生させず、二重の受信音を使用者が煩わしく感じるのを防止できる。
【００４１】
また、天井扇風機本体13から照明器具14への電源供給状態つまり照明器具14のいずれかの点灯状態において、送信部15の照明切ボタン66を操作して照明切信号を送信することで、この照明切信号を天井扇風機本体受信制御部29が受信して照明器具14に対する電源供給を停止する。このとき、天井扇風機本体受信制御部29の天井扇風機本体受信音発生部33が受信音を発生し、電源供給を停止された照明器具受信制御部50の照明器具受信音発生部52は受信音を発生しない。電源供給を停止された照明器具14はいずれの点灯状態からも消灯する。
【００４２】
また、照明器具14の消灯状態において、送信部15の照明切ボタン66を操作した場合、照明切信号を天井扇風機本体受信制御部29で受信しても、受信音は発生しない。
【００４３】
次に、図５に第２の実施の形態を示し、天井扇風機本体受信制御部29を照明器具14側に設けることにより、天井扇風機本体受信制御部29の天井扇風機本体受信部30を照明器具14の下方に臨ませることが可能になり、天井扇風機本体受信部30の受信感度を向上させることができるとともに、１つの天井扇風機本体受信部30で受信でき、部品点数を削減して簡素化できる。この場合、天井扇風機本体受信制御部29を設けていた天井扇風機本体13の下部ケース部25を省略することができ、そのため、天井扇風機本体13を薄型化でき、照明器具付天井扇風機11全体としての薄型化を図れる。
【００４４】
次に、図６および図７に第３の実施の形態を示し、天井扇風機本体13の下部の照明器具14側に送信部15からの遠隔操作の信号を受信部71で受信する受信制御部72を設け、この照明器具14には天井扇風機本体13を介して電源が常に供給されている状態である。そして、受信制御部72は、送信部15からの遠隔操作の信号を受信部71で受信することで、この受信制御部72で天井扇風機本体13の制御および照明器具14の点灯状態の切換制御をする。
【００４５】
このように、天井扇風機本体13の下部の照明器具14側に送信部15からの遠隔操作の信号を受信部71で受信する受信制御部72を設け、この受信制御部72で天井扇風機本体13の制御および照明器具14の点灯状態の切換制御をするため、制御構成を簡素化できる。
【００４６】
また、天井扇風機本体13に受信部が設けられる場合に比べて、遠隔操作の信号が受信部71で受信しやすいので遠隔操作による天井扇風機本体13の制御および照明器具14の点灯状態の切換制御を行い易く、一つの送信部15で照明器具付天井扇風機11を使用する際の使用者の操作性を向上できる。
【００４７】
しかも、送信部15の照明入ボタン65および照明切ボタン66のみで照明器具14の点灯状態を切り換えることができるので、送信部15が大形化することがない。
【００４８】
また、図７に示すように、照明器具付天井扇風機11の構造は、上述した図２に示す構造に対して、天井扇風機本体13の下部ケース部25などを省略することができるため、天井扇風機本体13を薄型化でき、照明器具付天井扇風機11全体としての薄型化を図ることができる。ただし、天井扇風機本体13の羽根27と天井12との間の間隔はサーキュレーション効果が得られる程度に形成する。
【００４９】
次に、図８に第４の実施の形態を示し、天井扇風機本体受信制御部29を天井扇風機本体13に、照明器具受信制御部50を照明器具14に設け、照明器具受信制御部50の照明器具受信部51で受信した信号を天井扇風機本体受信制御部29で受け取れるように接続する。すなわち、天井扇風機本体受信制御部29の天井扇風機本体受信部30を省略し、天井扇風機本体受信制御部29と照明器具受信制御部50とで１つの受信部としての照明器具受信部51を共用する。
【００５０】
このように、照明器具受信制御部50の照明器具受信部51を天井扇風機本体受信部30と共通とすることで、部品点数を削減して簡素化できる。
【００５１】
なお、送受信に用いる媒体は、赤外線に限らず、超音波、可視光線などでもよい。
【図面の簡単な説明】
【００５２】
【図１】本発明の第１の実施の形態を示す照明器具付天井扇風機の構成図である。
【図２】同上照明器具付天井扇風機の断面図である。
【図３】同上照明器具付天井扇風機の天井扇風機本体と照明器具との分離状態の斜視図である。
【図４】同上照明器具付天井扇風機の送信部の正面図である。
【図５】第２の実施の形態を示す照明器具付天井扇風機の構成図である。
【図６】第３の実施の形態を示す照明器具付天井扇風機の構成図である。
【図７】同上照明器具付天井扇風機の側面図である。
【図８】第４の実施の形態を示す照明器具付天井扇風機の構成図である。
【符号の説明】
【００５３】
11    照明器具付天井扇風機
13    天井扇風機本体
14    照明器具
15    送信部
29    天井扇風機本体受信制御部
50    照明器具受信制御部
51    受信部としての照明器具受信部
71    受信部
72    受信制御部
【図１】
2005235588.tif 000003
【図２】
2005235588.tif 000004
【図３】
2005235588.tif 000005
【図４】
2005235588.tif 000006
【図５】
2005235588.tif 000007
【図６】
2005235588.tif 000008
【図７】
2005235588.tif 000009
【図８】
2005235588.tif 000010